(57)【要約】いくつかのデバイス（Ｄ１，Ｄ２，Ｄ３）でのリソースフローをモニタリングするためのシステム（２）が開示される。システム（２）は、デバイスレベルで、フロー率及び／又はフロー率の変化を検知するよう構成された、いくつかのセンサ（Ｓ１，Ｓ２，Ｓ３，Ｓ４，Ｓ５）、及び少なくとも一部のデバイス（Ｄ１，Ｄ２，Ｄ３）のフロー全体を計測するよう構成された、いくつかの計器（Ｍ１，Ｍ２，Ｍ３）からデータを受信する受信ユニット（４）を備える。システム（２）は、センサ（Ｓ１，Ｓ２，Ｓ３，Ｓ４，Ｓ５）及び計器（Ｍ１，Ｍ２，Ｍ３）から情報を受信するよう構成された計算モジュール（８）を備え、計算モジュール（８）は、少なくとも一部のデバイス（Ｄ１，Ｄ２，Ｄ３）のリソースフロー及び／又は性能（例えば、使用度）の見積もり及び／又は予測をするよう構成された数学的統計モデル（３８）を備える【選択図】図１
2016526149.tif 000002
【特許請求の範囲】
【請求項１】
いくつかのデバイス（Ｄ１，Ｄ２，Ｄ３）でリソースフローをモニタリングするためのシステム（２）において、前記システム（２）は、デバイスレベルで、フロー率及び／又は前記フロー率の変化を検知するよう構成された、いくつかのセンサ（Ｓ１，Ｓ２，Ｓ３，Ｓ４，Ｓ５）からデータを受信するよう構成された受信ユニット（４）と、少なくとも一部の前記デバイス（Ｄ１，Ｄ２，Ｄ３）のフロー全体を計測するよう構成された、いくつかの計器（Ｍ１，Ｍ２，Ｍ３）を備え、前記システム（２）は、前記センサ（Ｓ１，Ｓ２，Ｓ３，Ｓ４，Ｓ５）及び前記計器（Ｍ１，Ｍ２，Ｍ３）から情報を受信するよう構成された計算モジュール（８）を備え、前記計算モジュール（８）は、の少なくとも一部の前記デバイス（Ｄ１，Ｄ２，Ｄ３）のリソースフロー及び／又は性能（例えば、使用度）の見積もり及び／又は予測をするよう構成された数学的統計モデル（３８）を備えることを特徴とするシステム（２）。
【請求項２】
前記システム（２）は、ユーザインターフェース（１０）、好ましくは遠隔ユーザインターフェース（１０）を備え、前記ユーザインターフェース（１０）は、前記見積もり及び／又は予測をされた、少なくとも一部の前記デバイス（Ｄ１，Ｄ２，Ｄ３）のリソースフローへのアクセスを提供することを特徴とする請求項１に記載のシステム。
【請求項３】
前記計算モジュール（８）は、１つ以上のルータ（８）であることを特徴とする請求項１又は２に記載のシステム。
【請求項４】
前記センサ（Ｓ１，Ｓ２，Ｓ３，Ｓ４，Ｓ５）の１つ以上は、エネルギーハーベス（２８）タを備えることを特徴とする請求項１乃至３のいずれか一項に記載のシステム（２）。
【請求項５】
ハーベストされたエネルギーは、前記デバイス（Ｄ１，Ｄ２，Ｄ３）のリソースフローを検知し、リソースフロー率を変更するために用いられることを特徴とする請求項４に記載のシステム（２）。
【請求項６】
前記計算モジュール（８）及び前記数学的統計モデル（３８）は、前記システム（２）の装置（１０，Ｄ１，Ｄ２，Ｄ３）内で統合されることを特徴とする請求項１乃至５のいずれか一項に記載のシステム（２）。
【請求項７】
前記計算モジュール（８）は、数学的統計モデル（３８）及びデータストレージ（３６）を備えるクラウドサービス（８）であることを特徴とする請求項１乃至６のいずれか一項に記載のシステム（２）。
【請求項８】
前記システム（２）は、前記デバイス（Ｄ１，Ｄ２，Ｄ３）の１つ以上、又は他の装置、例えば、主導管（１４）のバルブの使用度を変更するよう構成された制御ユニット（２２）を備えることを特徴とする請求項１乃至７のいずれか一項に記載のシステム（２）。
【請求項９】
前記計算モジュール（８）は、少なくとも一部の前記デバイス（Ｄ１，Ｄ２，Ｄ３）の現在の及び／又は将来の使用度を見積もるよう構成されたことを特徴とする請求項１乃至８のいずれか一項に記載のシステム（２）。
【請求項１０】
デバイスレベルでフロー率及び／又は前記フロー率の変化を検知するよう構成された、いくつかのセンサ（Ｓ１，Ｓ２，Ｓ３，Ｓ４，Ｓ５）、及び少なくとも一部の前記デバイスでフローを計測するよう構成された、いくつかの計器（Ｍ１，Ｍ２，Ｍ３）からデータを受信する受信ユニット（４）を用いることによって、いくつかのデバイス（Ｄ１，Ｄ２，Ｄ３）でのリソースフローをモニタリングするための方法において、前記方法は、前記センサ（Ｓ１，Ｓ２，Ｓ３，Ｓ４，Ｓ５）及び前記計器（Ｍ１，Ｍ２，Ｍ３）からの情報を受信するよう構成された計算モジュール（８）を用いて少なくとも一部の前記デバイス（Ｄ１，Ｄ２，Ｄ３）のリソースの損失及び／又はフローの見積もり及び／又は予測をするステップを含み、リソースフローの前記見積もり及び／又は予測は、数学的統計モデル（３８）を有する計算モジュール（８）内で実行されることを特徴とする方法。
【請求項１１】
前記方法は、少なくとも一部の前記デバイス（Ｄ１，Ｄ２，Ｄ３）のリソースフローの見積もり及び／又は予測をする、請求項１乃至９として定義されたシステム（２）を用いることを特徴とする請求項１０に記載の方法。
【発明の詳細な説明】
【技術分野】
【０００１】
本発明は、一般に非侵入型モニタリングのためのシステム及び方法に関する。本発明は、特には、リソースの損失の原因となるデバイスを特定するために、デバイスレベルから技術設備を俯瞰する非侵入型のモニタリングをするためのシステム及び方法に関する。
【背景技術】
【０００２】
リソースの浪費及び過剰消費は、環境的及び経済的の両方における問題をもたらすため、現代社会における主要な関心事である。浪費されたリソースの大部分は、機能不全の、又は非効率なデバイスから生じる。非効率なデバイスによって、所望の生産を得るためにリソースの過剰消費がもたらされる一方、機能不全のデバイスによって、意図した生産が損なわれ、又は失われさえもするためリソースの浪費がもたらされる。
【０００３】
単一の製造デバイスのレベルでの継続的なモニタリングによって、現在の、及び出現しつつある問題が特定され、リソースの過剰消費が低減することは、工業生産からよく知られている。しかし、現在のシステムの課題は、必要とされる専門技術の装置全体を取り付け、運転するための費用によって、使用分野が限定されることである。さらに、このようなモニタリングシステムは、既存のデバイス設備において取り付けるのが複雑なことがあり、許容できるように設計に合わせるのが困難である。
【０００４】
例えば、主電力装置での計測の一点を通して、世帯の電気の負荷構成を決定する技術を利用する、いわゆる非侵入型モニタリング（ＮＩＬＭ）システムがよく知られている。その技術は、1989年6月16日発行のTechnology and Society Magazine vol. 8, no. 2, pp. 12に掲載の論文「Residential energy monitoring and computerized surveillance via utility power flows」において、G. W. Hartによって記載されている。
【０００５】
しかし、この技術は、複雑な電気的な設定を扱うこと、取付けにおいて電気センサに簡易なサブメータリングを追加することが提案されてきたという課題を解決すること、及び同様のエネルギーフローを有するデバイスを区別することができない。欧州特許出願公開第2489987号明細書には、非侵入型エネルギーフローモニタリングのシステムが開示されている。システムは、追加のデバイスに連結された回路導体にデバイスを連結するよう構成された変圧器を有する１つ以上のデバイスの態様を含む。システムは、電力信号の変化を回路導体にわたって検知するよう構成された検知モジュールと、電力信号の変化が特定の閾値を満たす、又は超える場合に回路導体にわたる追加のデバイスに関連した固有の信号を伝送する伝送モジュールをさらに備える。
【０００６】
しかし、このようにさらに高度なＮＩＬMアプローチでさえ、出現しつつある、リソースの問題及び／又は過剰消費の予測及び見積りをすることができないことがある。換気装置、衛生装置、食品製造物のような動的なシステムにおいて、システムの現在の性能をモデル化できるように、例えば、電気のフローを知ることは概して非効率である。
【０００７】
多数の変動源が、潜在的で（例えば、潜んでいる）、動的な（例えば、発達している）確率過程に影響を及ぼすと、先行技術の方法によって効率的に該確率過程をモデル化することはほとんど不可能である。そのため、唯一の選択肢は、例えば工業から知られている高価で複雑なモニタリング技術である。
【０００８】
具体的に述べると、重要なデバイスの性能の概要を提供するために、（一例として建物内の）既存の装置に取り付けることができるシステムに対する要求がある。重要なデバイスの使用度、エネルギー消費、及び／又はリソースフロー（例えば、熱、電力、及び／又は換気）を見積もり、及び予測するシステムに対する要求もある。
【０００９】
したがって、本発明の目的は、いくつかのデバイスでリソースフローをモニタリングするシステムで、従来のモニタリング技術を用いる従来のシステムより高額ではなく、複雑ではないシステムを提供することである。
【００１０】
本発明の目的は、いくつかの所定のデバイスの使用度、エネルギー消費、及び／又はリソースフロー（例えば、熱、電力、及び／又は換気）を見積もり、及び予測することのできるシステムを提供することでもある。
【発明の概要】
【００１１】
本発明の目的は、請求項１で定義されたシステム、及び請求項１０で定義された方法によって達成することができる。好適な実施形態は、従属請求項で定義され、以降の記載で説明され、添付の図面で例示される。
【００１２】
本発明によるシステムは、いくつかのデバイスでリソースフローをモニタリングするためのシステムであって、システムは、デバイスレベルでフロー率、及び／又はフロー率の変化を検知するよう構成された、いくつかのセンサからデータを受信するよう構成された受信ユニットと、デバイスの少なくとも一部のフロー全体を計測するよう構成された、いくつかの計器と、を備える。システムは、センサ及び計器からの情報を受信するよう構成された計算モジュールを備え、計算モジュールは、デバイスの少なくとも一部の、リソースフロー及び／又は性能の見積もり及び／又は予測をするよう構成された数学的統計モデルを備える。
【００１３】
これによって、システムが、デバイスのグループ、例えば、商業的建物又は製造工場のＨＶＡＣ（加熱、換気、及び空調）システムの、使用度、性能、及び／又はリソースフロー（例えば、熱、電力、又は換気空気流）を見積もり、予測できることが達成される。さらに、システムは、デバイスが、リソースの過剰消費をもたらす方法で用いられ、及び／又は動作しているかを検知することができる。
【００１４】
さらに、システムが、先行技術のシステムより複雑でなく、正確で、（そして安価な）モニタリングデバイス（センサ）によって構築されることが達成される。実際、既知のシステムで用いるには不適当であるセンサを利用することが可能である。数学的統計モデルを利用することによって、本発明によるシステムは、「簡易」で「安価」な（このようなシステムで用いられる典型的な計器に比べて精度の低い）センサからの計測を「計算」及び／又は調整することができる。
【００１５】
デバイスは、電気デバイス、ヒーター、導管、又はフロー（電気、電力、熱エネルギー、空気、ガス、水、又は電磁放射）が通過することのできる他の構造とすることができる。
【００１６】
デバイスによって、単一のデバイス、はっきりと定義されたデバイスのグループ、又は、例えば、装置のような複雑なデバイスのサブデバイスを意味する。
【００１７】
センサという用語によって、温度、光、又は水のフロー、電流、ガス、及び／又は空気のような、1つ以上のパラメータを検知することのできるユニットを意味する。センサは、例えば、フローにおける、フロー率及び／又はフロー率の変化を検知するよう構成することができる。検知は、直接的な計測又は見積もりとすることができる。
【００１８】
全てのセンサが現存の設備（一例として、建物又は機械）に取り付けられるのが好ましい。
【００１９】
ケーブル又は導管の外側に取り付けるよう構成されたセンサを用いることは利点である。このようなセンサは、圧電センサとすることができる。センサは、異なる形状、寸法、材料、及び媒質の導管、チューブ、及びケーブルの外側に機械的に取り付けることができる。
【００２０】
センサは、受信ユニットに情報を送信するよう構成され、情報は任意の適切な形式の信号（例えば、無線信号）とすることができる。情報は、センサ及び計器によって検知される、任意の形式のデータとすることができる。
【００２１】
計算モジュールは、センサから情報を受信し、数学的統計モデルを有するよう構成された任意の適切な形式の計算モジュールとすることができる。
【００２２】
見積もり及び／又は予測をするという用語によって、数学的統計モデルを用いての決定を意味する。決定は、センサ及び計器から収集されたデータからの情報に基づく予想のみならず、他の任意の適切な情報に基づく予想とすることができる。いずれの場合においても、用途に合うように開発された数学的統計モデルを利用することは利点である。すなわち、異なる用途で異なる数学的統計モデルが必要となる。
【００２３】
リソースフローという用語によって、導管（又は他の構造）を通る熱、電力のフロー、及び／又は流体のフロー、及び／又は電磁放射の強度、又は他の量のフローを意味する。リソースフローは、一例として、取り込む電力（単位時間当たりのエネルギー）、又は導管を通るフロー（例えば、水）（単位時間当たりの体積）とすることができる。
【００２４】
計算モジュールは、全てのデバイスのリソースフローの見積もり及び／又は予測をするよう構成された数学的統計モデルを含むことが好ましい。
【００２５】
計算モジュールは、予期した通りに実行しないデバイスの見積もり及び／又は予測をするよう構成された数学的統計モデルを含むことが好ましい。
【００２６】
数学的統計モデルは、システムが予期した通りに実行しない場合、ユーザに知らせるための警告及び警報を発生させることができることが好ましい。
【００２７】
センサは、受信ユニットと無線で通信するよう構成されることが好ましい。
【００２８】
簡易型のセンサ、例えば、ケーブルの導管の外側に取り付けられるように構成されたセンサを用いることができる。
【００２９】
計器とういう用語によって、デバイスの少なくとも一部のリソースフロー全体を計測するよう構成されたユニットを意味する。計器は、所定の精度、好ましくは高精度で、デバイスの少なくとも一部のリソースフロー全体を計測するよう構成されたユニットとすることができる。このような計器は、典型的には、一例として、エネルギー消費、熱、冷却、及び電気の正確な計測を実行するために用いられる。
【００３０】
本発明によるシステムにおいて、本システムの計器よりかなり低い精度のセンサを用いることができるだろう。数学的統計モデルを用いることによって、センサの低い精度を「補償」することができる。
【００３１】
これによって、デバイスの少なくとも一部の全体的な計測がなされる。
【００３２】
システムが、全てのデバイスのリソースフローを計測し、受信ユニットに情報を送信するよう構成された、いくつかの計器を備えることは利点である。これによって、リソースフロー全体を決定することができる。
【００３３】
検知されたデータを、デバイスでのリソースフローの正確な見積もり及び／又は予測を提供するために用いることができるよう、計器がリソースフローの非常に正確な計測を提供することのできる高精度な計器であることは利点である。
【００３４】
全てのデバイスがセンサを備えるのではなく、計器が、センサを備えたデバイスより多くのデバイスのリソースフローを計測するシステムを有することができる。
【００３５】
全てのデバイスがセンサを備えなくても、数学的統計モデルは、好ましくは、センサ及び計器からの情報に基づいてデバイスのリソースフローの見積もり及び／又は予測をするよう構成される。
【００３６】
数学的統計モデルが、各センサに関連する各主計器の計測の潜在的な部分を見積もることのできる特定クラスのモデルであることは利点である。
【００３７】
数学的モデルが、
−主計器の計測から特定センサの計測への潜在的なマッピングをモデル化する数学的関数の成分と、
−計測ノイズ及びセンサによって計測されない使用に関連する各主計器の計測の一部をモデル化する確率成分と、
を含むことは有益である。
【００３８】
数学的統計モデルは、センサに関連する、各主計器の計測の潜在的な部分を推定することができる任意の適切な形式のモデルとすることができる。統計モデルの分野から知られているように、特定クラスのモデル、例えば、分散分析（ＡＮＯＶＡ）、マルコフモデル、一般化線形モデル（ＧＬＭ）、及び多変量ガウスモデルのような時系列分析法及び／又は多変量データ分析法を構築するために、いくつかのアプローチを用いることができる。
【００３９】
システムがユーザインターフェース、好ましくは遠隔ユーザインターフェースを備え、ユーザインターフェースは、警告、警報、並びに見積り及び／又は予測をされた、少なくとも一部のデバイスのリソースフローのような発生した情報へのアクセスを提供することは有益である。
【００４０】
これにより、非常に簡易で、ユーザフレンドリーなシステムを提供することができる。
【００４１】
計算モジュールが1つ以上のルータに実装されることは利点である。これにより、システムの、信頼性があり安全な設定を提供することができる。
【００４２】
センサの１つ以上が、エネルギーハーベスタを備えることは有益である。これにより、センサは電力を自給することができ、このためバッテリや外部のエネルギーが要求されない。
【００４３】
ハーベストされたエネルギーが、デバイスのリソースフローを検知、又はリソースフロー率を変更するために用いられることは利点である。これにより、簡易で効率のよいセンサを提供することができ、広く信頼性の高い技術を利用することができる。
【００４４】
ハーベストされたエネルギーがデバイスのリソースフローを検知、又はリソースフロー率を変更するため、及び受信ユニット及び／又は計算モジュールとの無線通信を達成するために用いられることは利点である。
【００４５】
計算モジュール及び数学的統計モデルが本システムの装置内で統合されるのには利点がある。これにより、別のルータは必要でなく、非常に簡易なシステムを提供することができる。
【００４６】
計算モジュール、数学的モデル、及びユーザインターフェースが本システムの装置内で統合されるのには利点がある。
【００４７】
計算モジュール及び数学的統計モデルがユーザインターフェース内で統合されることは利点である。このようなシステムは簡易であり、あまり機能を要求されない。
【００４８】
ユーザインターフェースが、スマートフォン、又は同様のスマートデバイスであることは利点である。
【００４９】
さらに、計算モジュール及び数学的統計モデルがスマートフォン内で統合されることは利点である。
【００５０】
本発明による好適な実施形態において、計算モジュールは、数学的統計モデル及びデータストレージを有するクラウドサービスである。このようなクラウドサービスの利用によって、他のシステムをクラウドサービスへ接続し、これにより、他のシステムからの数学的統計モデルのための追加のデータを得ることができる。したがって、非常に複雑で正確な数学的統計モデルを開発することができる。さらに、クラウドサービスが、他のシステムから数学的統計モデルのための追加のデータを得ると、より速く傾向を検知することができる。
【００５１】
システムが、デバイスの1つ以上、又は別の装置、例えば主導管のバルブの使用度を変更するよう構成された制御ユニットを備えることは利点である。これにより、制御ユニットを用いることによって、システムは、動作（デバイスのスイッチオフ、モータの速度規制、又は他の動作）を実行することが達成される。制御ユニットは、１つ以上のアクチュエータ（一例として、電気バルブ、又は電気的に制御される永久磁気モータ）を備えることができる。
【００５２】
本システムは、少なくとも一部のデバイスの現在の及び／又は将来の使用度を見積もるよう構成されることが好ましい。これにより、システムは、エネルギーを節約し、機能不全なデバイスの電源を入れ続けるのを回避し、そして、リソースの浪費及びリソースの過剰消費を回避するために、デバイスの使用度を規制及び最適化するために用いることができる。
【００５３】
センサが、例えば、テープ、クリップ、又はストリップとして、デバイスに（例えば、電気デバイスの電源ケーブルに）取り付けられるよう構成することは利点である。このようにすることで、センサは、モニタリングされる、導管、ケーブル、収容器、デバイスの冷却／加熱デバイスの内部に物理的に接触する必要がない。
【００５４】
本発明による方法は、デバイスレベルでフロー率及び／又はフロー率の変化を検知するよう構成されたいくつかのセンサ、及び少なくとも一部のデバイスのフローを計測するよう構成されたいくつかの計器からデータを受信する受信ユニットを用いることによって、いくつかのデバイスのリソースフローをモニタリングするための方法である。本方法は、センサ及び計器からの情報を受信するよう構成された計算モジュールを用いることによって、少なくとも一部のデバイスのリソースの損失及び／又はフローの見積もり及び／又は予測をするステップを含み、リソースフローの見積もり及び／又は予測をするステップは、数学的統計モデルを含む計算モジュール内で実行される。
【００５５】
本発明が、少なくとも一部のデバイスのリソースフローを計測するよう構成されたいくつかの計器から受信ユニットに情報を送信し、少なくとも一部のデバイスのリソースフローの見積もり及び／又は予測をするために計器からの情報を利用するステップを含むことは利点である。
【００５６】
本方法が、少なくとも一部のデバイスのリソースフローの見積もり及び／又は予測をするために、請求項１〜９に記載されたシステムを用いることは利点である。
【００５７】
受信ユニットが、本システムのセンサ及び／又は計器の１つ以上を自動的に認識するよう構成されることは利点である。これにより、本システムにセンサ及び／又は計器を取り付けることが、ユーザにとって容易になる。
【００５８】
本システムのユーザが、ユーザインターフェースを通してセンサ、計器、又は制御ユニットについてのさらなる情報を追加することができることは利点である。追加された情報は、数学的統計モデル内、及び／又はユーザインターフェース内で用いることができる。
【００５９】
センサ及び／又は計器の少なくともいくつかが、センサ及び／又は計器からのデータを正しい関連付けを保証するために、タイムスタンプモジュールを含むことは利点である。
【００６０】
センサ及び／又は計器からのデータは、任意の適切なサンプリング率、例えば、１秒に１回、１分に１回、又は３０分に１回でサンプリングすることができる。
【００６１】
信号を受信し、高レベル又は高出力で、又は障害物の反対側へ、再送するようそれぞれ構成された、１つ以上の中継器を用い、その結果、信号がより長い距離をカバーできることは利点である。
【００６２】
センサ及び／又は計器からのデータが、データ収集過程の間で圧縮され、潜在的過程を決定するための有効なデータのみが数学的統計モデルにさらに移送されることは利点である。例えば、センサからの一連の同種の状態のパッケージを、センサの現在の状態の開始時刻から終了時刻だけを含む１つのデータパッケージに圧縮することができる。データ圧縮は、例えば、１つ以上のルータ及び／又はセンサ及び／又は計器で達成することができる。
【００６３】
数学的統計モデル及び／又はユーザインターフェース及び／又は制御ユニットが、クラウドサービスを通して動作し、クラウドサービスが、例えば、中央サーバ、モバイルプロセッサ、ラップトップ、組み込み制御器、又は１つ以上のローカルルータ上で提供することができることは有益である。
【００６４】
数学的統計モデルは、コンピュータコード内に、又は集積回路内に直接、実装することができる。
【００６５】
ユーザインターフェースがシステムへのリモートアクセスを有することは利点である。
【００６６】
無線データ通信が、ＺｉｇＢｅｅ及び／又はＷｉＦｉデータ通信プロトコルを用いて実行されることは利点である。
【００６７】
本発明は、以降の詳細な説明からさらに十分に理解されるだろう。添付の図面は、例示としてのみ提供され、そのため、添付の図面は、本発明を限定しない。
【図面の簡単な説明】
【００６８】
【図１】本発明による第１のシステムの概略図である。
【図２】本発明による第２のシステムの概略図である。
【図３】本発明による第３のシステムの概略図である。
【図４】本発明によるシステムによってモニタリングされるデバイスを示す図である。
【図５】本発明によるシステムの一部を示す図である。
【発明を実施するための形態】
【００６９】
本発明の好適な実施形態を説明するために、ここで詳細に図面を参照すると、本発明によるシステム２は図１に例示されている。
【００７０】
図１は、本発明によるシステム２の概略図である。システム２は、第１のデバイスＤ１をモニタリングするよう構成された第１のセンサＳ１を備え、第１のセンサＳ１は第１のデバイスＤ１に取り付けられている。また、システム２は、第２のデバイスＤ２をモニタリングするよう構成された、２つのさらなるセンサ（Ｓ２及びＳ３）を備える。さらに、システム２は、第３のデバイスＤ３をモニタリングするよう構成された２つのさらなるセンサ（Ｓ４及びＳ５）を備える。センサＳ１，Ｓ２，Ｓ３，Ｓ４，Ｓ５は、ルータ４と無線で通信するよう構成される。
【００７１】
システム２は、クラウドサービス８と無線で通信するよう構成されたルータ４と通信するよう構成された計器（Ｍ１及びＭ２）を備える。ルータ４は、スマートフォン１０によって表されるユーザインターフェース１０と無線で通信している。また、ルータ４は、制御ユニット６とも無線で通信するよう構成されている。制御ユニット６は、デバイスＤ１，Ｄ２，Ｄ３の１つ以上、又は第４のデバイスＤ４の使用度を規制することのできるアクチュエータとすることができる。デバイスＤ１，Ｄ２，Ｄ３，Ｄ４の１つ以上の使用度の規制は、一例として、（例えば、バルブを用いることによって）フローを変更することによって、（ポンプ又はモータの）速度を変更することによって、又はデバイスＤ１，Ｄ２，Ｄ３，Ｄ４の１つ以上を停止することによって実行することができる。
【００７２】
センサＳ１，Ｓ２，Ｓ３，Ｓ４，Ｓ５は、デバイスＤ１，Ｄ２，Ｄ３を継続的に、又は１時間当たり１分、１分あたり１秒、又は他の頻度及び計測期間といったような選択された時間間隔でモニタリングすることができる。
【００７３】
クラウドサービス８は、ルータ４から受信した情報、又はクラウドサービス８によって修正又は計算されたデータを蓄積するために用いることのできるデータストレージ３６を備える。クラウドサービス８は、デバイスＤ１，Ｄ２，Ｄ３の１つ以上の使用度、又はＤ１，Ｄ２，Ｄ３の１つ以上を通るフロー（例えば、流体、ガス、電気、又は熱）の見積もり及び／又は予測をするよう構成された数学的統計モデル３８を含む。数学的統計モデル３８は、任意の適切な形式の数学的統計モデル３８とすることができ、数学的統計モデル３８は、デバイスＤ１，Ｄ２，Ｄ３の１つ以上の使用度、又はデバイスＤ１，Ｄ２，Ｄ３の１つ以上を通るフロー（例えば、流体、ガス、電気、又は熱の）を見積もり及び／又は予測をするために、センサＳ１，Ｓ２，Ｓ３，Ｓ４，Ｓ５の1つ以上、及び計器Ｍ１，Ｍ２，Ｍ３の１つ以上から結合されたデータにおいて推定することができる。
【００７４】
クラウドサービス８は、（不図示の）いくつかの他のシステムからの入力を受信することができ、これにより、情報は、同一の又は異なる形式のいくつかのシステムから集めることができる。このようにして、デバイスＤ１，Ｄ２，Ｄ３のフローのプロファイル（例えば、リソースフロー）にしたがった、更新された数学的統計モデル３８を提供することができる。
【００７５】
計器Ｍ１，Ｍ２，Ｍ３は、高精度の計器であることが好ましいが、センサＳ１，Ｓ２，Ｓ３，Ｓ４，Ｓ５は安価なセンサとすることができる。計器Ｍ１，Ｍ２，Ｍ３から、及びＳ１，Ｓ２，Ｓ３，Ｓ４，Ｓ５からのデータは、数学的統計モデル３８を用いることによって、Ｄ１，Ｄ２，Ｄ３のフロー率を予測するために用いることができる。
【００７６】
センサＳ１，Ｓ２，Ｓ３，Ｓ４，Ｓ５は、例えば、フロー（例えば、導管内の流体）、電気、温度、（センサが、一例として、室内又は外部の照度を計測するためのルクス計である場合に）ルクスを計測するよう構成することができる。
【００７７】
デバイスＤ１，Ｄ２，Ｄ３は、電力、流体（例えば、冷却液、飲料、水、又は天然ガスのようなガス）といった「リソース」のフローを有する様々なデバイスとすることができる。したがって、デバイスＤ１，Ｄ２，Ｄ３は、加熱デバイス、換気デバイス、空調デバイス、又は冷却装置、ランプ、ラジエータ、床暖房、又は一般の電気デバイスのようなＨＶＡＣデバイスとすることができる。
【００７８】
システム２は、既存の設備に組み込みやすい。センサＳ１，Ｓ２，Ｓ３，Ｓ４，Ｓ５は、一例として、単に、加熱表面に無線温度センサＳ１を取り付けたり、電気デバイスＤ２に誘導センサＳ２を取り付けたりすることによって、既存の設備に追加することができる。
【００７９】
計器Ｍ１，Ｍ２，Ｍ３は、既存の設備における既存の計器Ｍ１，Ｍ２，Ｍ３とすることができる。そして、システム２内の構成要素のいくつかは、システム２が組み込まれる設備内に既存であってもよい。
【００８０】
システム２が広域で取り付けられなければならない場合、中継器を用いることができる。１つ以上の中継器は、信号を受信し、高レベル又は高出力で、又は、障害物の反対側に再送するよう構成することができ、その結果、信号は長距離をカバーすることができる。
【００８１】
図２は、本発明によるシステム２の概略図を例示する。システム２は、センサＳ１，Ｓ２，Ｓ３，Ｓ４、計器Ｍ１，Ｍ２，Ｍ３、クラウドサービス８、スマートフォン１０形式のユーザインターフェース１０、３つの制御ユニット２０，２２，４０のグループと無線で通信するよう構成された無線ルータ４を備える。
【００８２】
システム２は、空調機器２４を含む電気デバイスのグループの電力フロー全体を計測するよう構成された第１の計器Ｍ１を備える。図２には示されていないが、システムが、多くの電気デバイスを備えることができるということを強調することは重要である。
【００８３】
第１の計器Ｍ１は、ルータ４と無線で通信し、電力フロー全体についての情報をルータに送信するよう構成される。第１の計器Ｍ１は、ルータ４によって無線で制御することのできる電源スイッチ１８も備える。電力警報が発生した場合、ルータ４は、電源スイッチ１８を用いて主電源線を停止することができる。
【００８４】
システム２は、（水供給のための）主導管１４を、さらに備える。主導管１４は、ルータ４と無線で通信し、ルータ４に情報を送信するよう構成された計器Ｍ２を備える。計器Ｍ２は、システム２が取り付けられている建物を通る水のフロー全体を継続的に計測するよう構成される。
【００８５】
バルブ２０は、主導管１４上に搭載され、バルブは、ルータ４と無線で通信するよう構成される。ルータ４は、バルブ２０を制御することができ、これにより、主導管１４を通るフローを規制することができる。バルブ２０は、（例えば、バルブ２０を閉じることにより）主導管１４を通るフローを減少させ、主導管１４を通るフローを増加させ、又は主導管１４を通るフローを一定に維持することができる。
【００８６】
システム２は、ルータ４と無線で通信するよう構成される第３の計器Ｍ３も備える。ルータ４は、無線で、電力計器Ｍ３によって計測された電力フロー全体についての情報を受信する。
【００８７】
第１のセンサＳ１は、給水管１６である第１のデバイス１６に取り付けられる。給水管１６は、バルブ４０として形成された制御ユニットを備える。第１のセンサＳ１は、導管１６を通るフローを検知し、又は導管１６を通るフローがある場合、又は導管１６を通るフローが変化している場合、ルータ４に検知した情報を無線で送信するよう構成される。ルータ４は、バルブ４０に無線信号を送信し、これにより、例えば、導管１６を通るフローを規制するためにバルブ４０を制御するよう構成される。バルブ４０は、（ルータ４によって検知された）漏れの場合には、導管１６を通るフローを止めるために閉じることができる。（ルータは、第１のセンサＳ１によって計測されたフローを、主導管１４で計器Ｍ２によって計測されたフロー全体と比較することができる。）
【００８８】
センサＳ１のみが、導管１６を通るフローがあるか、又は導管１６を通るフローに変化があるかを検知するよう要求されることは利点である。これにより、簡易で安価なセンサＳ１をシステム２に利用することができる。
【００８９】
第２のセンサＳ２は、ヒーター１２に取り付けられる。第２のセンサＳ２は、ヒーター１２の温度、及び／又はヒーター１２を通る水のフローを検知し、又はヒーター１２を通るフローがあるかを検知し、検知した情報をルータ４に無線で送信するよう構成される。システム２で簡易で安価なセンサＳ２を利用することができるため、センサＳ２のみが、ヒーター１２を通るフローがあるか、又はヒーター１２を通るフローに変化があるかを検知することを要求されるという利点がある。
【００９０】
第３のセンサＳ３は、空調機器２４の電源ケーブル２６に取り付けられる。第３のセンサＳ３は、ヒーター１２の温度、及び／又はヒーター１２を通る水のフローを検知し、検知した情報を無線でルータ４に送信するよう構成される。センサＳ３のみが、ケーブル２６に電力があるかを検知するよう要求されることは利点である。このようにして、システム２で、簡易で安価なセンサＳ３を用いることができる。
【００９１】
空調機器２４は、空調機器２４の上面に提供される制御ユニット２２を備える。制御ユニット２２は、空調機器２４の使用度を規制することができる。制御ユニット２２は、ルータ４によって無線で制御される。つまり、ルータ４は、制御ユニット２２と無線で通信することによって、空調機器２４のスイッチを切ったり、入れたりし、使用度を規制することができる。
【００９２】
システム２は、いずれの特定のデバイスにも取り付けられないセンサＳ４も備える。センサＳ４は、一例として、例えば室温を検知するために、任意の適切な場所に配置される温度センサとすることができる。センサＳ４は、光の流入を計測するよう構成されたルクスセンサとすることもでき、この情報は、ヒーター１２のスイッチを入れるか否かを決定する場合に重要である。
【００９３】
システム２は、ルータ４から受信した情報、もしくはクラウドサービス８によって修正され又は計算されたデータを蓄積するために用いることのできるデータストレージ３６を有するクラウドサービス８を備える。そのうえ、クラウドサービス８は、システムの、デバイス１６、２４、１２の1つ以上の使用度（水のフロー、電力、又は熱エネルギー）の見積もり及び／又は予測をするよう構成された数学的統計モデル３８を備える。デバイス１６、２４、１２の１つ以上の使用度を見積もり及び／又は予測をするために、任意の適切な数学的統計モデル３８を利用することができ、数学的モデル３８は、センサＳ１，Ｓ２，Ｓ３，Ｓ４の１つ以上、及び計器Ｍ１，Ｍ２，Ｍ３の１つ以上から結合したデータで推定することができる。
【００９４】
スマートフォン１０であるユーザインターフェース１０は、ルータ４に無線で通信する。これにより、システム２のユーザは、見積もり又は予測をされた、少なくとも一部のデバイス１６、１２、２４のリソースフローについての情報にアクセスすることができる。スマートフォン１０は、ルータ４を通して制御ユニット２２、４０、２０を制御するため、又はルータ４内の設定を変更する（例えば、新規の構成又はパラメータを数学的統計モデル３８にアップロードする）ために用いることもできる。
【００９５】
システム２は、例えば、エネルギーフロー全体を削減するために、警報を発生させ、シャットダウンし、又は任意のデバイス１６、２４、１２の使用度を規制するために用いることができる。一例として、システム２は、ヒーター１２及び空調機器２４が同時に作動しているかを自動的に検知することができる。
【００９６】
そして、システム２は、（室温が所定の快適な範囲である場合）ヒーター１２のスイッチ切りもする。室温が、好ましい室温より高い場合、システム２は、空調機器２４の使用度を高める。反対に、室温が好ましい室温より低い場合、システムは空調機器２４のスイッチを切り、ヒーター１２のスイッチを入れる。
【００９７】
図３は、図２に例示されているシステム２とほぼ同様のシステム２の概略図を例示する。しかし、無線ルータ４に替えて、スマートフォン１０形式のユーザインターフェース１０とする。スマートフォン１０は、センサＳ１，Ｓ２，Ｓ３，Ｓ４，計器Ｍ１，Ｍ２，Ｍ３，クラウドサービス８、及び３つの制御ユニット２０、２２、４０のグループと無線で通信するよう構成される。システム２の機能は、図２に例示されたシステム２の機能に相当する。ここで重要なのは、ユーザインターフェース１０は他の任意の形式の適切なユーザインターフェース、例えばラップトップとすることができるということである。
【００９８】
図４は、図２及び３に例示された空調機器２４の概略図を例示する。図４ａ）は、空調機器２４の電源ケーブル２６に取り付けられたセンサＳ１をクローズアップした概略断面図である。図４ｂ）は、空調機器２４の斜視図である。
【００９９】
図４ｂ）において、空調機器２４はセンサＳ１が取り付けられる電源ケーブル２６を有することがわかる。センサＳ１は、（不図示の）ルータ又はユーザインターフェースに無線信号３４を送信するよう構成される。
【０１００】
図４ａ）において、Ｓ１は、エネルギーハーベスタ２８を備え、エネルギーハーベスタ２８は、無線変換器３２に隣接して中央に配置された電力管理装置３０に隣接して、配置されることがわかる。エネルギーハーベスタ２８は、任意の適切な形式のエネルギーハーベスタとすることができる。電力管理装置３０は、無線変換器３２を用いることによって送信できる信号３４を発生させることのできる任意のユニットとすることができる。
【０１０１】
ハーベストされたエネルギーが空調機器２４の使用度を検知するために用いられることは利点である。そして、エネルギーがハーベストされると無線信号３２を発生させることのできるセンサＳ１を提供することができる。空調機器２４が作動すると、電源ケーブル２６には電流が通過し、そのためエネルギーがハーベストされる。
【０１０２】
しかし、必要であれば、センサＳ１には、バッテリ、及び／又はいくつかのコンデンサ、又は他の任意の適切なエネルギーストレージが提供される。
【０１０３】
本発明によるシステム２は、緊急の問題（例えば、導管網内の水漏れ又はアニマルハード（animal herd）に発生した疾患）の早期の警告を検知するために用いることができる。
【０１０４】
システム２は、例えば、ヒーター１２及び空調機器が同時に作動している場合にリソースの過剰消費を検知するために用いることもできる。この場合、システム２は、状況に注意し、スイッチを切る、又はデバイスの少なくとも１つの使用度を規制するよう構成される。
【０１０５】
システム２は、リソースの現在のフローについての経年での一般的な情報を提供し、突然の故障の場合に警報を発生するために用いることができる。そのうえ、システムは、デバイスの将来のリソースフローの見積もり又は予測をするために用いることができる。
【０１０６】
システム２は、（例えば、会社が生産能力向上の要求のためにデバイスの数を増加させることを検討した場合、）デバイスの新たな配置の将来的なリソースフローをシミュレーションするために用いることもできる。
【０１０７】
システム２は、技術的デバイスでの監視サービスを達成するため、及び遠隔監視を許容するために同様のデバイスをベンチマークするために用いることができる。
【０１０８】
センサＳ１，Ｓ２，Ｓ３，Ｓ４，計器Ｍ１，Ｍ２，Ｍ３は、それぞれ一意の識別子（例えば、数字、記号、ディスクリプション、又はＩＤ）を含むことができる。このようにして、ルータ４又はユーザインターフェース１０は、入力する無線信号３４それぞれを特定のデバイスと結ぶ付けることができる。すなわち、一意の識別子を使用することによって、無線信号３４は、ルータ４又はユーザインターフェース１０によって最適な方法で用いることができるのを保証することができる。
【０１０９】
センサＳ１，Ｓ２，Ｓ３，Ｓ４は、デバイスＤ１，Ｄ２，Ｄ３、１２、１６、２４が作動するとき（デバイスのスイッチが入るとき、又はデバイスを通るリソースフロー、例えば、水、ガス、又は電流があるとき）を検知するよう構成することができる。
【０１１０】
図５は、本発明によるシステム２の一部を例示する。図５は、本発明によるシステム２が、主導管１４内、及びいくつかの小さいほうの分配管１６内の水のフローを計測するためにどのように用いることができるかを例示する。
【０１１１】
設備に供給される水は、（例えば、権威者によって証明された、又はフロー計測の基準内である）高精度の計測を提供する１つの主計器Ｍ１によって計測される。主導管１４は、複数の小さいほうの分配導管１６と流体連通し、一方、いくつかのセンサＳ１，Ｓ２，及びＳ３がこれらの小さいほうの分配導管１６、１６’、１６”のうちのいくつかの外側に取り付けられる。
【０１１２】
以降において、我々はセンサＳ１での計測に注目する。センサＳ１は、簡易なピエゾ素子を備える誘導センサである。そして、センサ信号は、導管１６内のフローとともに変化する。しかし、センサＳ１からの信号は、導管１６の材料及び寸法、並びにセンサ取付け及び媒介物（この例では水）に依存する。したがって、センサ信号は、実際のフロー（高精度の計器を用いて得られるだろうフロー）を出すために、「変換」又は「調整／校正」されなければならない。従来技術のシステムにおいては、特定の環境（導管１６の寸法、導管１６の材料、及び取付け形式）でのフローを計測するよう構成された「高品質センサ」を利用する必要があるだろう。
【０１１３】
本発明は、数学的統計モデルを利用するため、導管１６でのフローを決定するために簡易なセンサＳ１を用いることが可能である。数学的統計モデルの利用によって、センサＳ１の低い精度を補償することができる。
【０１１４】
センサＳ１は、導管１６の外側に取り付けられ、その後、タイムスパンにわたってセンサＳ１からの一連の計測をサンプリングすることができる。
【０１１５】
同一のタイムスパンにおいて、一連の計測は、同一のタイムスパンにおける主計器Ｍ１からサンプリングされる。
【０１１６】
数学的統計モデルは、そこに取り付けられたセンサＳ１を有する導管１６を通って流れる、主計器のフローの一部を見積もるために用いられる。センサＳ１の現在の環境用に修正するために、センサＳ１の計測の時間依存の変換を実行することができる。
【０１１７】
時間依存の変換を用いることができる場合、アプローチを要求するコンピュータは、数学的統計モデルを用いることによっては、あまり得られない。
【０１１８】
センサＳ１からの継続的な計測において、完全な数学的統計モデルを用いることより、時間依存の変換を用いる方が、利点がある。
【０１１９】
変換の精度が許容できるかを随時、テストし、必要であれば数学的統計モデルを用いて更新することは有益である。
【０１２０】
必要とされるサンプルの量は、変換の測定誤差を推定することによって得ることができる。この方法では、所望の精度が得られるまで結果を留めることができる。
【０１２１】
以降において、数学的統計モデル３８を用いて、潜在的確率プロセスを見積もる１つの好適な方法が記載される。潜在的確率プロセスは、例えば式（１）及び式（２）によって定義される状態空間モデルによってモデル化することができる。
【０１２２】
【数１】
2016526149.tif 000003
【０１２３】
Ｙｔは、時刻ｔでの観測プロセスを決定する（例えば、記述する、又は定義する）ベクトルであり、センサ（Ｓ１，Ｓ２，・・・，Ｓｎ）及び／又は計器Ｍ１，Ｍ２，・・・Ｍｋからの観測データを含み、Θｔは、時刻ｔでの潜在的確率プロセスを決定するベクトルであり、パーセントでの換気効率、パーセントでのリソースの過剰消費、リソースフロー、デバイスの正常状態等のような潜在的プロセスのデータを含み、Ｆｔは、時刻ｔでの潜在的プロセスと観測プロセスとの間の線形関係を決定する回帰行列であり、Ｇｔは、潜在的プロセスにおける時刻ｔ−１から時刻ｔまでの線形変換を決定する展開行列（evolve matrix）、εｔ及びθｔは、それぞれ観測プロセス及び潜在的プロセスのゼロ平均多変量ガウス分布した雑音ベクトルであり、Ｖｔは観測分散共分散行列であり、Ｗｔは展開分散共分散行列である。
【０１２４】
モデルパラメータ行列Ｆｔ及びＧｔは、モデル化されたシステム及び／又は同様のシステムからの重要なデータを用いて、例えば、カルマンフィルターによって見積もることができ、データは、ユーザ及び／又はその分野の専門家によって提供される。プロセスを推定する（例えば、情報を見積もる）ために、標準の統計方法を用いることができる。情報は、例えば、見積もった信号（例えば、傾向）及び／又はプロセスの予測（例えば、予知）、見積もり、分散、及び／又は信頼区間の関連する分布とすることができる。このような種類の見積もりを用いて、容易に警告及び／又は警報を発生させることができる。、プロセスにおける観測偏差の確率が、変化によって生じ得る０．１％以下である場合に、例えば、警報が出るように選択することができる。
【０１２５】
上記のモデルフレームワークは、より一般的なモデルフレームワークの特別な事例である。
【０１２６】
【数２】
2016526149.tif 000004
【０１２７】
ｆｔ及びｇｔは、一般的な関数であり、δ１及びδ２は、一般的な統計分布であり、他の全ての項は上述のとおりである。
【０１２８】
より一般的なこのモデルフレームワークでの推定は、例えば、潜在的プロセスと観測プロセスとの間の関係が非線形である場合には拡張カルマンフィルターによって、そして、時刻が連続的な尺度で定義された（例えば、記述された）場合にはカルマン・ブーシーフィルタによって行うことができる。
【０１２９】
分散分析（ＡＮＯＶＡ）、マルコフモデル、一般化線形モデル（ＧＬＭ）、及び多変量ガウスモデルのような時系列解析法及び／又は多変量データ解析法も、潜在的確率プロセスを見積もり、情報を推定するために用いることができる。
【符号の説明】
【０１３０】
２                                  システム
４                                  ルータ
６                                  制御ユニット
８                                  クラウドサービス
１０                                ユーザインターフェース
Ｄ１，Ｄ２，Ｄ３                      デバイス
Ｓ１，Ｓ２，Ｓ３，Ｓ４，・・・，Ｓｎ    センサ
Ｍ１，Ｍ２，Ｍ３                      計器
１２                                ヒーター
１４                                主導管
１６，１６’，１６”                 導管
１８                                電源スイッチ
２０                                バルブ
２２                                制御ユニット
２４                                空調機器
２６                                ケーブル
２８                                エネルギーハーベスタ
３０                                電力管理装置
３２                                無線変換器
３４                                無線信号
３６                                データストレージ
３８                                数学的統計モデル
４０                                バルブ
【図１】
2016526149.tif 000005
【図２】
2016526149.tif 000006
【図３】
2016526149.tif 000007
【図４ａ）−４ｂ）】
2016526149.tif 000008
【図５】
2016526149.tif 000009
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
いくつかのデバイス（Ｄ１，Ｄ２，Ｄ３）でリソースフローをモニタリングするためのシステム（２）において、前記システム（２）は、
Ａ．デバイスレベルで、フロー率及び／又は前記フロー率の変化を検知するよう構成された、いくつかのセンサ（Ｓ１，Ｓ２，Ｓ３，Ｓ４，Ｓ５）と、
Ｂ．少なくとも一部の前記デバイス（Ｄ１，Ｄ２，Ｄ３）のフロー全体を所定の高い精度で計測するよう構成された、高精度の計器（Ｍ１，Ｍ２，Ｍ３）と、
からデータを受信するよう構成された受信ユニット（４）を備え、
前記システム（２）は、前記センサ（Ｓ１，Ｓ２，Ｓ３，Ｓ４，Ｓ５）及び前記計器（Ｍ１，Ｍ２，Ｍ３）から情報を受信するよう構成された計算モジュール（８）を備え、
前記計算モジュール（８）は、潜在的確率過程（すなわち、前記センサ（Ｓ１，Ｓ２，Ｓ３，Ｓ４，Ｓ５）及び前記計器（Ｍ１）からのデータを用いた、前記デバイス（Ｄ１，Ｄ２，Ｄ３）のリソースフロー及び／又は性能（例えば使用度））の見積もり及び／又は予測をするよう構成された数学的統計モデル（３８）を備え、
時刻ｔでの前記センサ（Ｓ１，Ｓ２，Ｓ３，Ｓ４，Ｓ５）及び計器（Ｍ１）からの前記データは、ベクトル（Ｙｔ）として与えられ、
時刻ｔでの前記潜在的確率過程（パーセントでの換気効率、リソースのパーセントでの過剰消費、リソースフロー、又はデバイスの正常状態といったリソースフロー及び／又は性能）はベクトル（Θｔ）であり、
前記数学的統計モデル（３８）は、時刻ｔでの前記センサ（Ｓ１，Ｓ２，Ｓ３，Ｓ４，Ｓ５）及び計器（Ｍ１）からのデータの雑音ベクトル（εｔ）と、最終的には時刻ｔでの前記潜在的確率過程の雑音ベクトル（θｔ）とを用い、
前記２つの雑音ベクトル（εｔ，θｔ）の統計分布は、前記センサ（Ｓ１，Ｓ２，Ｓ３，Ｓ４，Ｓ５）及び計器（Ｍ１）からのデータに基づいて見積もられることを特徴とするシステム（２）。
【請求項２】
時刻ｔでの、前記センサ（Ｓ１，Ｓ２，Ｓ３，Ｓ４，Ｓ５）及び計器（Ｍ１）からの前記データは、ベクトルＹｔとして、次式：
Ｙｔ＝ｆｔ（Θｔ）＋εｔ
にしたがって与えられ、
時刻ｔでの前記潜在的確率過程（パーセントでの換気効率、リソースのパーセントでの過剰消費、リソースフロー、又はデバイスの正常状態のようなリソースフロー及び／又は性能）は、潜在的な過程によって最終的にモデル化することのできる次式のベクトルΘｔ：
Θｔ＝ｇｔ（Θｔ−１）＋θｔ
であり、
ｆｔ及びｇｔは数学関数であることを特徴とする請求項１に記載のシステム。
【請求項３】
前記高精度の計器（Ｍ１，Ｍ２，Ｍ３）は、電気デバイスのグループの電力フロー全体を計測するか、水のフロー全体を計測するか、エネルギー消費を計測するよう構成されることを特徴とする請求項１または２に記載のシステム。
【請求項４】
前記システム（２）は、ユーザインターフェース（１０）、好ましくは遠隔ユーザインターフェース（１０）を備え、前記ユーザインターフェース（１０）は、前記見積もり及び／又は予測をされた、少なくとも一部の前記デバイス（Ｄ１，Ｄ２，Ｄ３）のリソースフローへのアクセスを提供することを特徴とする請求項１乃至３のいずれか一項に記載のシステム。
【請求項５】
前記計算モジュール（８）は、１つ以上のルータ（８）であることを特徴とする請求項１乃至４のいずれか一項に記載のシステム。
【請求項６】
前記センサ（Ｓ１，Ｓ２，Ｓ３，Ｓ４，Ｓ５）の１つ以上は、エネルギーハーベスタ（２８）を備えることを特徴とする請求項１乃至５のいずれか一項に記載のシステム（２）。
【請求項７】
ハーベストされたエネルギーは、前記デバイス（Ｄ１，Ｄ２，Ｄ３）のリソースフローを検知し、リソースフロー率を変更するために用いられることを特徴とする請求項６に記載のシステム（２）。
【請求項８】
前記計算モジュール（８）及び前記数学的統計モデル（３８）は、前記システム（２）の装置（１０，Ｄ１，Ｄ２，Ｄ３）内で統合されることを特徴とする請求項１乃至７のいずれか一項に記載のシステム（２）。
【請求項９】
前記計算モジュール（８）は、数学的統計モデル（３８）及びデータストレージ（３６）を備えるクラウドサービス（８）であることを特徴とする請求項１乃至８のいずれか一項に記載のシステム（２）。
【請求項１０】
前記システム（２）は、前記デバイス（Ｄ１，Ｄ２，Ｄ３）の１つ以上、又は他の装置、例えば、主導管（１４）のバルブの使用度を変更するよう構成された制御ユニット（２２）を備えることを特徴とする請求項１乃至９のいずれか一項に記載のシステム（２）。
【請求項１１】
前記計算モジュール（８）は、少なくとも一部の前記デバイス（Ｄ１，Ｄ２，Ｄ３）の現在の及び／又は将来の使用度を見積もるよう構成されたことを特徴とする請求項１乃至１０のいずれか一項に記載のシステム（２）。
【請求項１２】
デバイスレベルでフロー率及び／又は前記フロー率の変化を検知するよう構成された、いくつかのセンサ（Ｓ１，Ｓ２，Ｓ３，Ｓ４，Ｓ５）、及び所定の高い精度で少なくとも一部の前記デバイス（Ｄ１，Ｄ２，Ｄ３）のフローを計測するよう構成された高精度の計器（Ｍ１，Ｍ２，Ｍ３）からデータを受信する受信ユニット（４）を用いることによって、いくつかのデバイス（Ｄ１，Ｄ２，Ｄ３）でのリソースフローをモニタリングするための方法において、
前記方法は、前記センサ（Ｓ１，Ｓ２，Ｓ３，Ｓ４，Ｓ５）及び前記計器（Ｍ１，Ｍ２，Ｍ３）からの情報を受信するよう構成された計算モジュール（８）を用いて前記デバイス（Ｄ１，Ｄ２，Ｄ３）のリソースの損失及び／又はフローの見積もり及び／又は予測をするステップを含み、
リソースフローの前記見積もり及び／又は予測をするステップは、前記センサ（Ｓ１，Ｓ２，Ｓ３，Ｓ４，Ｓ５）及び前記計器（Ｍ１，Ｍ２，Ｍ３）からのデータを用いる数学的統計モデル（３８）を有する計算モジュール（８）内で実行され、
前記数学的モデル（３８）は、数学的統計モデル（３８）を用いた潜在的確率過程を見積もるよう構成され、
前記数学的統計モデル（３８）は、潜在的確率過程を見積もるために前記センサ（Ｓ１，Ｓ２，Ｓ３，Ｓ４，Ｓ５）及び前記計器（Ｍ１）からのデータを組み合わせ、
時刻ｔでの前記センサ（Ｓ１，Ｓ２，Ｓ３，Ｓ４，Ｓ５）及び前記計器（Ｍ１）からの前記データは、ベクトル（Ｙｔ）として与えられ、
時刻ｔでの前記潜在的確率過程（パーセントでの換気効率、リソースのパーセントでの過剰消費、リソースフロー、又はデバイスの正常状態といったリソースフロー及び／又は性能）はベクトル（Θｔ）であり、
前記数学的統計モデル（３８）は、時刻ｔでの前記センサ（Ｓ１，Ｓ２，Ｓ３，Ｓ４，Ｓ５）、及び前記計器（Ｍ１）からのデータの雑音ベクトル（εｔ）、及び最終的には時刻ｔでの前記潜在的確率過程の雑音ベクトル（θｔ）を用い、
前記２つの雑音ベクトル（εｔ，θｔ）の統計分布は、前記センサ（Ｓ１，Ｓ２，Ｓ３，Ｓ４，Ｓ５）及び計器（Ｍ１）からのデータに基づいて見積もられることを特徴とする方法。
【請求項１３】
時刻ｔでの、前記センサ（Ｓ１，Ｓ２，Ｓ３，Ｓ４，Ｓ５）及び計器（Ｍ１）からの前記データは、ベクトルＹｔとして、次式：
Ｙｔ＝ｆｔ（Θｔ）＋εｔ
にしたがって与えられ、
時刻ｔでの潜在的確率過程（パーセントでの換気効率、リソースのパーセントでの過剰消費、リソースフロー、又はデバイスの正常状態といったリソースフロー及び／又は性能）は、潜在的な過程によって最終的にモデル化することのできる次式によるベクトルΘｔ：
Θｔ＝ｇｔ（Θｔ−１）＋θｔ
であり、
ｆｔ及びｇｔは数学関数であることを特徴とする請求項１２に記載の方法。
【請求項１４】
前記方法は、少なくとも一部の前記デバイス（Ｄ１，Ｄ２，Ｄ３）のリソースフローの見積もり及び／又は予測をする、請求項１乃至１１として定義されたシステム（２）を用いることを特徴とする請求項１２又は１３に記載の方法。
【国際調査報告】
2016526149.tif 000010
2016526149.tif 000011
2016526149.tif 000012